(57)【特許請求の範囲】
【請求項１】
先端に刃先を有する内針と、内針の尾端に連設された内針ハブと、内針を摺動自在に挿通する中空の外針と、外針の尾端に連設された外針ハブと、内針の刃先が外針の先端から突出する穿刺前の状態において外針の周囲を内針の刃先の露出部分に亘って囲う筒状のプロテクタとを備える留置針において、
内針ハブの外側に、外針ハブに当接して、内針ハブに対し外針ハブが軸方向尾方に後退することを阻止するスリーブを設け、スリーブの外側にプロテクタを軸方向に移動自在に設けて、スリーブとプロテクタとの間に、プロテクタをスリーブに対する軸方向先方の前進端位置に弾力的に係止可能な第１係止機構と、プロテクタをスリーブに対する軸方向尾方の後退端位置に係止可能な第２係止機構とを設けると共に、
外針ハブに、プロテクタよりも外方に張り出す張出部を設けて、張出部にプロテクタを軸方向に挿通する挿通部を形成し、プロテクタの前記前進端位置ではプロテクタの先端が外針の先端に突出する内針の刃先より先方に位置し、プロテクタの前記後退端位置ではプロテクタの先端が張出部と略同一位置に位置するようにし、外針ハブとプロテクタとの間に、プロテクタが挿通部から軸方向尾方に抜け出ることを弾力的に阻止可能な抜止機構を設け、
更に、内針ハブをスリーブに対し軸方向尾方に後退自在として、内針ハブとスリーブとの間に、前記後退端位置に存するプロテクタ内に内針の刃先が入り込む所定位置までスリーブに対し内針ハブを後退させたときに、スリーブに対する内針ハブのそれ以上の後退を阻止するストッパ機構を設け、前記張出部を押さえた状態で内針ハブを前記所定位置から更に軸方向尾方に後退させたとき、ストッパ機構とスリーブと第２係止機構とを介してプロテクタに作用する軸方向尾方への牽引力によりプロテクタが抜止機構による係止力に抗して挿通部から軸方向尾方に抜け出るようにしたことを特徴とする留置針。
【請求項２】
前記スリーブと前記内針ハブとの間に、スリーブを、内針ハブに対する外針ハブの軸方向尾方への後退を阻止する初期位置に弾力的に係止可能な第３係止機構を設けることを特徴とする請求項１記載の留置針。
【請求項３】
前記スリーブに、径方向に貫通する先端側の第１係合孔と尾端側の第２係合孔とを形成し、前記プロテクタの尾端部に、プロテクタがスリーブに対する前進端位置に存するときに第１係合孔に係合し、プロテクタがスリーブに対する後退端位置に存するときに第２係合孔に係合する第１係止片を形成して、第１係止片と第１係合孔とで前記第１係止機構を形成すると共に、第１係止片と第２係合孔とで前記第２係止機構を構成し、さらに、前記内針ハブの先端部に、スリーブが前記初期位置に存するときに第１係合孔に係合し、内針ハブが前記所定位置に後退したときに第２係合孔に係合する第２係止片を形成して、第２係止片と第１係合孔とで前記第３係止機構を構成すると共に、第２係止片と第２係合孔とで前記ストッパ機構を構成することを特徴とする請求項２記載の留置針。
【請求項４】
前記スリーブの外周に、前記プロテクタがスリーブに対して前記前進端位置から前記後退端位置まで軸方向尾方に移動する際に、前記第１係止片を案内するように、第１と第２の両係合孔を結ぶ軸方向の溝を形成し、
スリーブの内周に、内針ハブがスリーブに対して前記初期位置から前記所定位置まで軸方向尾方に移動する際に、前記第２係止片を案内するように、第１と第２の両係合孔を結ぶ軸方向の溝を形成することを特徴とする請求項３記載の留置針。
【請求項５】
前記内針ハブの尾端にフランジ部を形成すると共に、フランジ部の外周部に軸方向先方に延び、内径が前記プロテクタの外径より大きな略筒状の把持部を形成することを特徴とする請求項１から請求項４の何れか１項に記載の留置針。
【発明の詳細な説明】
【技術分野】
【０００１】
本発明は、薬液注入の際に用いられる留置針に関する。
【背景技術】
【０００２】
従来、先端に刃先を備える内針と、内針の尾端に連設された内針ハブと、内針を摺動自在に挿通する中空の外針と、外針の尾端に連設された外針ハブと、内針の刃先が外針の先端から突出する穿刺前の状態において外針の周囲を内針の刃先の露出部分に亘って囲う筒状のプロテクタとを備える留置針が知られている（例えば、特許文献１）。
【０００３】
この留置針では、プロテクタに外針ハブと内針ハブとを摺動自在に挿入し、内針ハブの先端を外針ハブの尾端に当接させている。また、この留置針では、プロテクタの先端に、内針ハブがプロテクタの先方に突出することを規制する係止機構を設け、穿刺後にプロテクタを把持して軸方向尾方に後退させたとき、係止機構により内針ハブもプロテクタと一緒に後退して、内針が外針から引き抜かれるようにしている。
【０００４】
この留置針では、プロテクタの先端に係止機構が存在するため、プロテクタの先端を患者の穿刺箇所に突き当てたまま穿刺を行うことはできない。そのため、医療行為者は、穿刺前に、内針ハブを押して、内針ハブと外針ハブとをプロテクタに対し軸方向先方に前進させ、内針を挿通させた状態で外針をプロテクタの先方に突出させる必要がある。
【０００５】
また、この留置針では、医療行為者は、留置針を患者に穿刺した後、外針を患者に刺したままの状態で、内針だけを引き抜き、その後、内針ハブをプロテクタに対し軸方向尾方に後退させて、内針をプロテクタ内に収める。
【０００６】
しかしながら、このような従来の留置針では、プロテクタから内針及び外針を露出させた後、穿刺を行うまでの間に、また、穿刺後においては、内針を患者から引き抜いて、プロテクタ内に内針を収めるまでの間に、医療行為者が誤って自己の手指等により内針に触れてしまう虞がある。
【０００７】
【特許文献１】特開平１０−２０１８５２号公報
【発明の開示】
【発明が解決しようとする課題】
【０００８】
本発明は、かかる不都合を解消して、医療行為者が誤って自己の手指等により内針に触れてしまうことを確実に防止することができる留置針を提供することを目的とする。
【課題を解決するための手段】
【０００９】
かかる目的を達成するために、本発明の留置針では、先端に刃先を有する内針と、内針の尾端に連設された内針ハブと、内針を摺動自在に挿通する中空の外針と、外針の尾端に連設された外針ハブと、内針の刃先が外針の先端から突出する穿刺前の状態において外針の周囲を内針の刃先の露出部分に亘って囲う筒状のプロテクタとを備える留置針を以下の如く改良している。
【００１０】
即ち、本発明は、内針ハブの外側に、外針ハブに当接して、内針ハブに対し外針ハブが軸方向尾方に後退することを阻止するスリーブを設け、スリーブの外側にプロテクタを軸方向に移動自在に設けて、スリーブとプロテクタとの間に、プロテクタをスリーブに対する軸方向先方の前進端位置に弾力的に係止可能な第１係止機構と、プロテクタをスリーブに対する軸方向尾方の後退端位置に係止可能な第２係止機構とを設けると共に、外針ハブに、プロテクタよりも外方に張り出す張出部を設けて、張出部にプロテクタを軸方向に挿通する挿通部を形成している。
【００１１】
そして、プロテクタの前記前進端位置ではプロテクタの先端が外針の先端に突出する内針の刃先より先方に位置し、プロテクタの前記後退端位置ではプロテクタの先端が張出部と略同一位置に位置するようにし、外針ハブとプロテクタとの間に、プロテクタが挿通部から軸方向尾方に抜け出ることを弾力的に阻止可能な抜止機構を設け、更に、内針ハブをスリーブに対し軸方向尾方に後退自在として、内針ハブとスリーブとの間に、前記後退端位置に存するプロテクタ内に内針の刃先が入り込む所定位置までスリーブに対し内針ハブを後退させたときに、スリーブに対する内針ハブのそれ以上の後退を阻止するストッパ機構を設け、前記張出部を押さえた状態で内針ハブを前記所定位置から更に軸方向尾方に後退させたとき、ストッパ機構とスリーブと第２係止機構とを介してプロテクタに作用する軸方向尾方への牽引力によりプロテクタが抜止機構による係止力に抗して挿通部から軸方向尾方に抜け出るようにしたことを特徴とする。
【００１２】
本発明によれば、プロテクタの先端に上記従来の係止機構のような邪魔物が存在しないため、プロテクタの先端を患者の穿刺箇所に当接させることができる。そして、プロテクタを前進端位置に係止したままプロテクタの先端を患者の穿刺箇所に当接し、この状態で内針ハブを軸方向先方に押せば、スリーブを介して外針ハブも内針ハブと一体に軸方向先方に前進する。一方、プロテクタは、穿刺箇所の皮膚の抗力を受けるため、第１係止機構による係止が解かれて、内針ハブ及び外針ハブに対し後退する。その結果、内針及び外針がプロテクタの先方に突出して、患者に穿刺される。穿刺完了状態では、プロテクタが後退端位置に到達して、外針ハブの張出部が穿刺箇所の周囲に着座する。その後、張出部を押さえた状態で内針ハブを軸方向尾方に後退させて内針を引き抜くが、内針ハブが所定位置に後退するまでは、抜止機構の働きでプロテクタは後退せず、内針の刃先がプロテクタ内に入り込む所定位置まで内針が引き戻される。所定位置までスリーブに対し内針ハブを後退させると、ストッパ機構の働きにより、スリーブに対する内針ハブのそれ以上の後退が阻止される。内針ハブを所定位置から更に後退させれば、ストッパ機構とスリーブと第２係止機構とを介してプロテクタに作用する軸方向尾方への牽引力により、プロテクタが外針ハブの挿通部から軸方向尾方に抜け出る。そして、内針はプロテクタに収められた状態になる。
【００１３】
このように、留置針を穿刺する際に、プロテクタから内針及び外針を露出させる操作を行うことなく、常にプロテクタにより内針及び外針を囲った状態で、穿刺を行うことができる。これにより、留置針の穿刺前に、医療行為者が誤って自己の手指等により内針又は外針に触れてしまうことを確実に防止することができる。
【００１４】
また、穿刺後に内針を引き抜く際には、内針はそのままプロテクタに収納されるため、留置針の穿刺後に、医療行為者が誤って自己の手指等により内針に触れてしまうことを確実に防止することができる。
【００１５】
ところで、スリーブは、内針ハブに対し、外針ハブの軸方向尾方への後退を阻止する初期位置からストッパ機構で規制される位置まで軸方向先方に移動自在であり、このままでは、内針ハブを把持して持ち上げたとき、ストッパ機構で規制される位置までスリーブが自重で落下して、留置針が伸び、操作し難くなる。この場合、スリーブと内針ハブとの間に、スリーブを上記初期位置に弾力的に係止可能な第３係止機構を設けておけば、内針ハブを持ち上げてもスリーブは初期位置に保持され、留置針が伸びることはなく、有利である。
【００１６】
ここで、前記スリーブに、径方向に貫通する先端側の第１係合孔と尾端側の第２係合孔とを形成し、前記プロテクタの尾端部に、プロテクタがスリーブに対する前進端位置に存するときに第１係合孔に係合し、プロテクタがスリーブに対する後退端位置に存するときに第２係合孔に係合する第１係止片を形成して、第１係止片と第１係合孔とで前記第１係止機構を形成すると共に、第１係止片と第２係合孔とで前記第２係止機構を構成し、さらに、前記内針ハブの先端部に、スリーブが前記初期位置に存するときに第１係合孔に係合し、内針ハブが前記所定位置に後退したときに第２係合孔に係合する第２係止片を形成して、第２係止片と第１係合孔とで前記第３係止機構を構成すると共に、第２係止片と第２係合孔とで前記ストッパ機構を構成すれば、第１乃至第３係止機構及びストッパ機構を簡易な構造にでき、コストダウンを図る上で有利である。
【００１７】
この場合、前記スリーブの外周に、前記プロテクタがスリーブに対して前記前進端位置から前記後退端位置まで軸方向尾方に移動する際に、前記第１係止片を案内するように、第１と第２の両係合孔を結ぶ軸方向の溝を形成すれば、プロテクタがスリーブに対する前進端位置から後退端位置に移動する際に、第１係止片が外周側の溝に係合して、スリーブに対するプロテクタの位相ずれが防止され、後退端位置で第１係止片が第２係合孔に確実に係合する。
【００１８】
また、スリーブの内周に、内針ハブがスリーブに対して前記初期位置から前記所定位置まで軸方向尾方に移動する際に、前記第２係止片を案内するように、第１と第２の両係合孔を結ぶ軸方向の溝を形成すれば、内針ハブをスリーブに対する前記初期位置から前記所定位置に後退させる際、第２係止片が内周側の溝に係合して、スリーブに対する内針ハブの位相ずれが防止され、所定位置で第２係止片が第２係合孔に確実に係合する。
【００１９】
また、前記内針ハブの尾端にフランジ部を形成すると共に、フランジ部の外周部に軸方向先方に延びる、内径が前記プロテクタの外径より大きな略筒状の把持部を形成すれば、この把持部を把持することにより、内針ハブの軸方向の押し引き操作がし易くなる。なお、穿刺時には、内針ハブに対しプロテクタが軸方向尾方に後退するが、把持部の内径はプロテクタの外形よりも大きいため、プロテクタの後退が把持部によって邪魔されることはない。
【発明を実施するための最良の形態】
【００２０】
図１及び図２に示すように、本発明の実施形態の留置針１には、先端に刃先２ａを備える内針２と、内針２の尾端に連設された内針ハブ３と、内針２を摺動自在に挿通する中空の外針４と、外針４の尾端に連設された略円筒状の外針ハブ５と、内針２の刃先２ａが外針４の先端から突出する穿刺前の状態において外針４の周囲を内針２の刃先２ａの露出部分に亘って囲う筒状のプロテクタ６とが設けられている。
【００２１】
また、内針ハブ３の外側にはスリーブ７が設けられている。スリーブ７は、内針ハブ３の尾端に形成したフランジ部３０に当接する尾端のフランジ部７０を有する。そして、スリーブ７の先端を外針ハブ５に当接させ、内針ハブ３に対し外針ハブ５が軸方向尾方に後退することを阻止できるようにしている。なお、外針ハブ５の尾端には、薬液注入用のチューブ８を接続するジョイント部９ａを有するカバー９が嵌着されており、スリーブ７は、このカバー９を介して外針ハブ５に当接する。また、カバー９の尾端面には、内針２を挿通自在な孔部９ｂが形成されている。また、フランジ部３０の外周部には、軸方向先方に延びる略筒状の把持部３１が形成されている。なお、把持部３１の内径は、プロテクタ６の外径より大きい。
【００２２】
スリーブ７の周囲両側には、それぞれ径方向に貫通する先端側の第１係合孔７１と尾端側の第２係合孔７２とが形成されている。そして、スリーブ７の外周と内周とに第１・第２係合孔７１，７２を結ぶ軸方向の溝７３，７４を、外周側の溝７３と内周側の溝７４との間に肉薄の板部７５が残るように形成している。
【００２３】
スリーブ７の外側には、プロテクタ６が軸方向に移動自在に設けられている。プロテクタ６の周囲両側には、先端から軸方向尾方に延びる一対の幅広なスリット６０が形成されている。カバー９のジョイント部９ａは、一方のスリット６０を通してプロテクタ６の外方に突出する。
【００２４】
外針ハブ５の先端部には、プロテクタ６よりも外方に張り出す円盤状の張出部５０が形成されている。張出部５０には、略半月状の孔からなる一対の挿通部５１が設けられている。そして、スリット６０で分断されたプロテクタ６の半割り筒状の部分が挿通部５１に挿通されている。
【００２５】
プロテクタ６の尾端部には、周囲両側に位置する一対の第１係止片６１が形成されている。各第１係止片６１は、径方向外方に弾力的に撓むことができる。また、各第１係止片６１の軸方向尾方（図１の上方）の端部には、径方向内方に突出する突部６１ａが形成されている。突部６１ａの軸方向先方側の面（図１の下側の面）は、軸方向に対して直交する平坦面６１ｂに形成されている。また、突部６１ａの軸方向尾方側の面（図１の上側の面）には、軸方向に対して傾斜する斜面６１ｃが形成されている。
【００２６】
第１係止片６１は、プロテクタ６がスリーブ７に対する軸方向先方の前進端位置に存するときに、突部６１ａにおいてスリーブ７の先端側の第１係合孔７１に係合する。プロテクタ６を前進端位置から軸方向尾方に押すと、突部６１ａの斜面６１ｃが板部７５の先端に当接し、第１係止片６１が斜面６１ｃを介して作用する分力で外方に撓み、突部６１ａが第１係合孔７１から離脱して、前進端位置での係止が解かれる。かくして、第１係合孔７１と第１係止片６１とにより、プロテクタ６を前進端位置に弾力的に係止可能な第１係止機構が構成される。ここで、プロテクタ６が前進端位置に存するときは、プロテクタ６の先端が外針４の先端に突出する内針２の刃先２ａより先方に位置する。
【００２７】
また、第１係止片６１は、プロテクタ６がスリーブ７に対する軸方向尾方の後退端位置に存するときに、突部６１ａにおいてスリーブ７の尾端側の第２係合孔７２に係合する。
【００２８】
この状態では、突部６１ａの平坦面６１ｂが板部７５の尾端に当接し、プロテクタ６はスリーブ７に対し軸方向先方に移動不能になる。かくして、第２係合孔７２と第１係止片６１とにより、プロテクタ６を後退端位置に係止可能な第２係止機構が構成される。ここで、プロテクタ６が後退端位置に存するときは、プロテクタ６の先端が張出部５０と略同一位置に位置する。
【００２９】
なお、プロテクタ６がスリーブ７に対する前進端位置から後退端位置に移動する際には、第１係止片６１がスリーブ７の外周側の溝７３に係合して案内され、スリーブ７に対するプロテクタ６の位相ずれ（回転）が防止されて、後退端位置で第１係止片６１が第２係合孔７２に確実に係合する。
【００３０】
また、外針ハブ５には、一対の挿通部５１の径方向外方の周縁部に位置させて、軸方向尾方に延びる一対の第３係止片５２が形成されている。各第３係止片５２は、径方向外方に弾力的に撓むことができる。また、各第３係止片５２の軸方向尾方（図１の上方）の端部には、径方向内方に突出する突部５２ａが形成されている。突部５２ａの軸方向先方側の面（図１の下側の面）には、軸方向に対して傾斜する斜面５２ｂが形成されている。また、プロテクタ６の先端部には、径方向外方に突出するように拡径部６２が形成されている。
【００３１】
拡径部６２は、プロテクタ６が後退端位置に存するときに、第３係止片５２の突部５２ａに係合する。プロテクタ６をこの状態から軸方向尾方に牽引すると、突部５２ａの斜面５２ｂを介して作用する分力で第３係止片５２が外方に撓み、プロテクタ６の抜け止めが解除される。かくして、第３係止片５２と拡径部６２とにより、プロテクタ６が挿通部５１から軸方向尾方に抜け出ることを弾力的に阻止可能な抜止機構が構成される。
【００３２】
内針ハブ３は、スリーブ７に対し軸方向尾方に後退自在である。また、内針ハブ３の先端には、周囲両側に位置する一対の第２係止片３２が形成されている。各第２係止片３２は、径方向内方に弾力的に撓むことができる。また、各第２係止片３２の軸方向先方（図１の下方）の端部には、径方向外方に突出する突部３２ａが形成されている。突部３２ａの軸方向先方側の面（図１の下側の面）は、軸方向に対して直交する平坦面３２ｂに形成されている。また、突部３２ａの軸方向尾方側の面（図１の上側の面）は、径方向内方に位置し、軸方向に対して直交する平坦面３２ｃと、径方向外方に位置し、軸方向に対して傾斜する斜面３２ｄとで構成されている。
【００３３】
第２係止片３２は、スリーブ７の尾端のフランジ部７０が内針ハブ３の尾端のフランジ部３０に当接して、内針ハブ３に対する外針ハブ５の軸方向尾方への後退を阻止する初期位置にスリーブ７が存在するときに、突部３２ａにおいてスリーブ７の先端側の第１係合孔７１に係合する。この状態から内針ハブ３に対しスリーブ７を軸方向先方に牽引すると、板部７５の先端が突部３２ａの斜面３２ｄに当接し、第２係止片３２が斜面３２ｄを介して作用する分力で内方に撓み、初期位置での係止が解かれる。かくして、第１係合孔７１と第２係止片３２とにより、スリーブ７を内針ハブ３に対する上記初期位置に弾力的に係止する第３係止機構が構成される。
【００３４】
また、第２係止片３２は、上記後退端位置に存するプロテクタ６内に内針２の刃先２ａが入り込む所定位置まで、スリーブ７に対し内針ハブ３を後退させたときに、突部３２ａにおいてスリーブ７の尾端側の第２係合孔７２に係合する。
【００３５】
この状態では、突部３２ａの平坦面３２ｃが第２係合孔７２の尾端側の面（図１の上側の面）に当接し、内針ハブ３はスリーブ７に対し軸方向尾方に移動不能になる。かくして、第２係合孔７２と第２係止片３２とにより、スリーブ７に対する内針ハブ３の上記所定位置以上の後退を阻止するストッパ機構が構成される。
【００３６】
なお、内針ハブ３をスリーブ７に対する初期位置から所定位置に後退させる際には、第２係止片３２がスリーブ７の内周側の溝７４に係合して案内され、スリーブに対する内針ハブ３の位相ずれ（回転）が防止されて、所定位置で第２係止片３２が第２係止孔７２に確実に係合する。
【００３７】
次に、本実施形態の留置針１の使用方法を図１、図３を参照して詳細に説明する。
【００３８】
本実施形態の留置針１を使用する際には、まず、図１に示すように、プロテクタ６を前進端位置に係止したまま、プロテクタ６の先端を患者の穿刺箇所に当接させる。この状態で内針ハブ３を軸方向先方に押せば、スリーブ７とカバー９とを介して外針ハブ５も内針ハブ３と一体に軸方向先方に前進する。
【００３９】
一方、プロテクタ６は穿刺箇所の皮膚ａの抗力を受けるため、第１係止片６１の突部６１ａの斜面６１ｃに板部７５の先端が当接する。そして、第１係止片６１が斜面６１ｃを介して作用する分力で外方に撓み、第１係止機構による係止が解除される。このため、プロテクタ６は、内針ハブ３及び外針ハブ５に対し後退する。その結果、内針２及び外針４がプロテクタ６の先方に突出して、患者に穿刺される。
【００４０】
なお、把持部３１の内径はプロテクタ６の外形よりも大きいため、プロテクタ６の後退が把持部３１によって邪魔されることはない。また、穿刺する際に、第１係止機構によるプロテクタ６の前進端位置での係止が解除されるまでの間、プロテクタ６は患者の穿刺箇所の周囲の皮膚ａを押圧するため、穿刺の際の患者の痛みを軽減することができる。
【００４１】
穿刺完了状態では、図３（ａ）に示すように、プロテクタ６がスリーブ７に対する後退端位置に後退され、第１係止片６１がスリーブ７の尾端側の第２係合孔７２に係合し、第２係止機構によりプロテクタ６が後退端位置に係止される。また、このとき、外針ハブ５の張出部５０が穿刺箇所の周囲に着座する。
【００４２】
その後、張出部５０を押さえた状態で内針ハブ３を軸方向尾方に後退させて内針２を引き抜く。ここで、第３係止機構による係止力、すなわち、第２係止片３２の突部３２ａの斜面３２ｄと板部７５の先端との当接により発生する係止力よりも、抜止機構による係止力、すなわち、拡径部６２と第３係止片５２の突部５２ａの斜面５２ｂとの当接により発生する係止力の方が強く設定されている。
【００４３】
このため、内針２の刃先２ａがプロテクタ６内に入り込む所定位置に内針ハブ３が後退するまでは、抜止機構による係止力によりプロテクタ６は後退しない。
【００４４】
また、スリーブ７も第２係止機構によりプロテクタ６に対し係止されているので後退しない。このため、第２係止片３２の突部３２ａの斜面３２ｄが板部７５に当接し、第２係止片３２が斜面３２ｃを介して作用する分力で内方に撓み、第３係止機構による係止が解除されて、内針ハブ３は、図３（ｂ）に示すように、内針２の刃先２ａがプロテクタ６内に入り込む所定位置まで引き戻される。
【００４５】
そして、内針ハブ３が上記所定位置まで引き戻されると、第２係止片３２がスリーブ７の尾端側の第２係合孔７２に係合し、ストッパ機構によりスリーブ７に対する内針ハブ３のそれ以上の後退が阻止される。
【００４６】
その後、さらに内針ハブ３を軸方向尾方に後退させると、ストッパ機構を介してスリーブ７も内針ハブ３と一体に後退し、さらに、第２係止機構を介してプロテクタ６にも牽引力が伝達される。そして、第３係止片５２の突部５２ａの斜面５２ｂにプロテクタ６の拡径部６２を介して作用する分力により、第３係止片５２が外方に撓み、抜止機構による抜け止めが解除される。そして、内針２は、図３（ｃ）に示すように、プロテクタ６に囲われたままの状態で引き抜かれ、そのまま廃棄される。
【００４７】
なお、この状態では、板部７５の尾端と、第２係止片３２の突部３２ａの平坦面３２ｂとが当接しているため、スリーブ７は内針ハブ３に対して軸方向尾方に後退することができない。また、プロテクタ６も、尾端がスリーブ７のフランジ部７０に当接しているため、スリーブ７に対して軸方向尾方に後退することができない。よって、プロテクタ６内から内針２が再び軸方向先方に突出することはない。
【００４８】
ところで、カバー９の尾端面には、孔部９ｂが開口しているが、この孔部９ｂは、内針２を抜いた後、医療用テープ（図示省略）により封鎖するか、または、予め孔部９ｂに弁部材（図示省略）を設け、内針２が引き抜かれると自動的に孔部９ｂの開口が封鎖されるようにする。そして、チューブ８を介して供給される薬液をカバー９と外針ハブ５と外針４とを介して患者に注入する。
【００４９】
本実施形態の留置針１によれば、常にプロテクタ６により内針２及び外針４を囲った状態で、穿刺を行うことができるため、留置針１の穿刺前に、医療行為者が誤って自己の手指等により内針又は外針に触れてしまうことを確実に防止することができる。
【００５０】
また、穿刺後に内針２を引き抜く際には、内針２は、外針４から引き抜くと同時にそのままプロテクタ６に収納されるため、留置針１の穿刺後に、医療行為者が誤って自己の手指等により内針に触れてしまうことを確実に防止することができる。
【００５１】
また、図１に示す初期状態においては、第２係止片３２が第１係止孔７１に係合して、第３係止機構によりスリーブ７が内針ハブ３に対する初期位置に係止されるため、内針ハブ３を持ち上げても、スリーブ７が自重で落下して留置針１が伸びるようなことはなく、穿刺の操作性を向上させることができる。
【００５２】
また、内針ハブ３のフランジ部３０の外周部に軸方向先方に延びる略筒状の把持部３１を形成しているため、この把持部３１を把持することにより、内針ハブ３の軸方向の押し引き操作がし易くなる。
【図面の簡単な説明】
【００５３】
【図１】本発明の実施形態の留置針を示す断面図。
【図２】実施形態の留置針の分解状態の斜視図。
【図３】（ａ）は、実施形態の留置針の穿刺完了状態を示す断面図。（ｂ）は、実施形態の留置針の内針の刃先がプロテクタ内に入り込む位置まで引き戻された状態を示す断面図。（ｃ）は、実施形態の留置針のプロテクタに対する外針ハブの抜け止めが解除された状態を示す断面図。
【符号の説明】
【００５４】
１…留置針、２…内針、２ａ…刃先、３…内針ハブ、３０…フランジ部、３１…把持部、３２…第２の係止片、３２ａ…突部、３２ｂ…平担面、３２ｃ…平担面、３２ｄ…斜面、４…外針、５…外針ハブ、５０…張出部、５１…挿通部、５２…第３係止片、５２ａ…突部、５２ｂ…斜面、６…プロテクタ、６０…スリット、６１…第１係止片、６１ａ…突部、６１ｂ…平担面、６１ｃ…斜面、６２…拡径部、７…スリーブ、７０…フランジ部、７１…第１係合孔、７２…第２係合孔、７３…外周側の溝、７４…内周側の溝、７５…板部、８…チューブ、９…カバー、９ａ…ジョイント部、９ｂ…孔部、ａ…皮膚。
【図１】
0004250169.tif 000002
【図２】
0004250169.tif 000003
【図３】
0004250169.tif 000004